(57)【要約】      （修正有）【課題】防護性能と放熱率の良い放熱器の構造を提供する。【解決手段】主に放熱器１０及び放熱シート２０で構成する防護と比較的放熱率の良い放熱器の構造である。熱源部に設置する該放熱器に含まれるのは一つの筒状体１１と複数の放熱シートであり、該放熱シートはしっかりと筒状体の外回りに結合し、筒状体の内部にある収納スペース１４に熱源を設置する。該放熱シートは二枚の片体２１，２２を具有し、二枚の片体の外側端に一つの接続面２３を接続し、及び二枚の片体と接続面の内側スペースは空気の通り道である。前記の特徴により、接続面の設置により、広い面積で放熱して有効的に放熱器の表面温度を下げることで、組立ユーザーの火傷を防止することができる。また、該接続面は美観な形状となるほか、ユーザーがケガするのを回避することができ、安全性が高くなる。【選択図】図２
0003172192.tif 000002
【実用新案登録請求の範囲】
【請求項１】
放熱シート及び接続面を含み、
放熱シートは二枚の片体を具有し、該片体の外側端に一つの接続面を設け、二枚の片体と接続面の内側スペースが空気の通り道であることを特徴とする、防護性能と放熱率の良い放熱器。
【請求項２】
前記二枚の片体の外側端に一つの接続面を設置し、該接続面に少なくとも一つの穴を設けることを特徴とする請求項１記載の防護性能と放熱率の良い放熱器。
【請求項３】
前記放熱シートは二枚の片体を具有し、及び該二枚の片体の如何なる一枚の片体に一つ或いはそれ以上の穴を設けることを特徴とする請求項１記載の防護性能と放熱率の良い放熱器。
【請求項４】
前記放熱シートは二枚の片体を具有し、及び該片体の頂上にヘッドライト部としっかり嵌合する嵌合部を具有することを特徴とする請求項１記載の防護性能と放熱率の良い放熱器。
【請求項５】
前記放熱シートは二枚の片体を具有し、及び該片体の底部にカバーと結合するスロットを設けることを特徴とする請求項１或いは請求項４記載の防護性能と放熱率の良い放熱器。
【請求項６】
前記放熱シートは二枚の片体を具有し、二枚の片体の外側端に一つの接続面を接続し、及び該接続面と該片体の外側端は更に一つの開放エリアを設置することを特徴とする請求項１或いは請求項２記載の防護性能と放熱率の良い放熱器。
【請求項７】
前記接続面は平面或いは非平面の如何なる一種類であることを特徴とする請求項１或いは請求項２記載の防護性能と放熱率の良い放熱器。
【請求項８】
放熱器を含み、
放熱器を熱源部に設置し、該放熱器は筒状体及び複数の放熱シートを含み、該放熱シートをしっかりと筒状体の外回りに結合し、
該筒状体の内部にある収納スペースに熱源を設置し、
該放熱シートは二枚の片体を具有し、該二枚の片体の外側端に一つの接続面を設け、及び二枚の片体と接続面の内部空間は、空気の通り道であることを特徴とする防護性能と放熱率の良い放熱器。
【請求項９】
前記二枚の片体の外側端に一つの接続面を設置し、及び、該接続面に少なくとも一つの穴を設置することを特徴とする請求項８記載の防護性能と放熱率の良い放熱器。
【請求項１０】
前記放熱シートは二枚の片体を具有し、及び該二枚の片体の如何なる一枚に一つ或いはそれ以上の穴を設けることを特徴とする請求項８記載の防護性能と放熱率の良い放熱器。
【請求項１１】
前記放熱シートは二枚の片体を具有し、及び該片体の頂上にヘッドライト部としっかり嵌合する嵌合部を具有することを特徴とする請求項８記載の防護性能と放熱率の良い放熱器。
【請求項１２】
前記放熱シートは二枚の片体を具有し、及び該片体の底部にカバーと結合するスロットを設けることを特徴とする請求項８或いは請求項９記載の防護性能と放熱率の良い放熱器。
【請求項１３】
前記放熱シートは二枚の片体を具有し、該二枚の片体の外側端に一つの接続面を接続し、及び該接続面と該片体の外側端に、更に一つの開放エリアを設置することを特徴とする請求項８或いは請求項９記載の防護性能と放熱率の良い放熱器。
【請求項１４】
前記熱源とは発光ダイオード(ＬＥＤ)の光モジュールであることを特徴とする請求項８記載の防護性能と放熱率の良い放熱器。
【請求項１５】
前記放熱器に含まれるのは一つの筒状体及び複数の放熱シートであり、及び該筒状体の外回りに多数の放熱シートを定位し、しっかりと設置できる溝を設けることを特徴とする請求項８記載の防護性能と放熱率の良い放熱器。
【請求項１６】
前記放熱シートは二枚の片体を具有し、該片体の内側端は溝と対応してしっかりと結合することを特徴とする請求項１５記載の防護性能と放熱率の良い放熱器。
【請求項１７】
前記筒状体の外回りに多数の放熱シートをしっかり定位する溝を設置し、及び、筒状体の外回りに設置する放熱シート同士の間に、金具を用いて絞り加工した多数の導引溝を位置することを特徴とする請求項１５記載の防護性能と放熱率の良い放熱器。  
【請求項１８】
前記接続面は平面或いは非平面の如何なる一種類であることを特徴とする請求項８或いは請求項９記載の防護性能と放熱率の良い放熱器。
【請求項１９】
前記熱源の外側表面に一つの防塵シートを設置することを特徴とする請求項８或いは請求項１４記載の防護性能と放熱率の良い放熱器。
【請求項２０】
前記防塵シートはプラスティック或いは金属製の薄いシートの如何なる一種類であることを特徴とする請求項１９記載の防護性能と放熱率の良い放熱器。
【考案の詳細な説明】
【技術分野】
【０００１】
本考案は防護性能と放熱率の良い放熱器に関し、特に熱源の外部に設置する放熱器を指し、比較的良い放熱率であり、ユーザーを防護する効果を具有する放熱器の構造に関する。
【背景技術】
【０００２】
発光ダイオード(ＬＥＤ)の光モジュールの技術発展はすさまじく、既に広く照明に使用されている。発光ダイオードの照明の仕事率が高くなるのにつれ、該グループの発光ダイオードの光モジュールが生じる熱も増えていくことにより、該発光ダイオード照明の外部にある放熱器は急激に温度が上がる原因となる。該発光ダイオード照明の表面温度が高くなると、発光ダイオード光モジュールの寿命が短く或いは損壊する恐れがあるほか、該放熱器の表面の高温もユーザーの安全性を脅かし、子供或いはユーザーが誤って触って火傷する恐れもあるため、更なる改善が必要であった。
【先行技術文献】
【特許文献】
【０００３】
【特許文献１】特開平５−２０５８５１号公報
【考案の概要】
【考案が解決しようとする課題】
【０００４】
前記公知構造の欠点を解決するため、本考案は放熱面積を増やして放熱効果をアップし、該表面温度を下げると同時に、ユーザーが触る際、火傷から守る効果も具有し、更にその構造の強固性を増やすことのできる、防護性能及び放熱率の良い放熱器を提供することを主な課題とする。
【課題を解決するための手段】
【０００５】
前記課題を解決するため、本考案は防護性能及び放熱率の良い放熱器を提供するものである。熱源部に設置する該放熱器に含まれるのは一つの筒状体及び複数の放熱シートである。該放熱シートはしっかりと筒状体の外回りと結合し、筒状体の内部にある収納スペースに熱源を設置する。該放熱シートは二枚の片体を具有し、二枚の片体の外側端に一つの接続面を設置し、及び二枚の片体と接続面の内側スペースは、空気の通り道とする。
【０００６】
本考案の放熱シートに接続面を設けることで、放熱表面積を増加し、放熱の効果を有効的にアップすると同時に、ユーザーの手がケガ或いは火傷をするのを防止し、使用上更に安全となり、及び構造の強固性を高める。
【考案の効果】
【０００７】
本考案は筒状体、放熱シート及び接続面の設置により、二枚の片体と接続面の内側スペースに空気の通り道を具有し、広い面積で放熱して有効的に放熱器の表面温度を下げることができ、火傷などのケガを防止し、安全性及び構造の強固性を高める。
【図面の簡単な説明】
【０００８】
【図１】本考案における放熱シートの立体図である。
【図２】本考案における放熱器の組合せ略図である。
【図３】本考案における組合せ俯瞰図である。
【図４】本考案のおける放熱器及び熱源の組合せ略図である。
【図５】本考案における放熱器及び熱源の組合せ断面図である。
【図６】本考案における放熱シートの第二実施例の立体図である。
【図７】本考案における放熱器の第二実施例の組合せ立体図である。
【図８】本考案における放熱器の第三実施例の組合せ立体図である。
【考案を実施するための形態】
【０００９】
本考案の構造を明確に示すために図に沿って詳細な説明を行うが、図式は参考及び説明するためのものであり、これにより本考案の保護範囲が限定されるものではない。
【実施例】
【００１０】
図１〜図３に示すのは、本考案の防護性能及び放熱率の良い放熱器及び当該放熱シートの構造である。当該放熱器１０に含まれるのは、筒状体１１及び複数の放熱シート２０である。該筒状体１１の外回りに多数に放熱シート２０を定位する溝１２を設置し、及び、筒状体１１の外回りに設置する放熱シート２０同士の間に、金具(図に未掲載)を用いて絞り加工した多数の導引溝１３を位置する。該内部の収納スペース１４に熱源１５、即ち発光ダイオードの光モジュールを設置する(図４、図５を参照)。該放熱シート２０は二枚の片体２１、２２を具有し、二枚の片体２１、２２の外側に接続面２３を接続する。該接続面２３は平面或いは円弧、折り面など如何なる一種類の非平面とすることができ、該片体２１、２２の内側端と筒状体１１の溝１２が対応して挿入することで、該放熱シート２０が筒状体１１の外回りに排列して設置する(図３、図４を参照)。更に該放熱シート２０同士の間に交差して多数の導引溝１３を設ける。金具を用いて当該導引溝１３を絞り加工し、それにより該放熱シート２０と筒状体１１はしっかり結合し、一つの放熱器１０を形成する。
【００１１】
また、該放熱シート２０の該片体２１、２１は少なくとも一つの穴２４(図示は３つ)を設け、該接続面２３に３つの穴２５を設ける。また、該二枚の片体２１、２２と接続面２３の内側スペースは気流の通り道２６であるため、ベストな気流を導引し、該放熱効果をアップし、該放熱シート２０の表面温度を下げることができる。
【００１２】
図１、図２及び図４に示すように、該放熱器１０に含まれるのは、筒状体１１と複数の放熱シート２０である。該放熱シート２０の該片体２１、２２の頂上にヘッドライト部３０と嵌合する嵌合部２１１、２２１を設け、該底部にカバー４０と結合するスロット２１２、２２２を設け、それにより発光ダイオード照明１を形成する。該放熱器１０は有効的に放熱をし、人工で組立或いは分解する際、ケガ或いは火傷をするのを防止し、更に一層のプロテクトと安全性を具有する。次に、本考案は更に熱源１５の外表面に防塵シート５０を設け、該防塵シート５０はプラスティック或いは金属で成形する薄いシートである。それをカバー４０の内側に覆い、それにより異物或いはホコリが放熱器１０内に入るのを防止する。
【００１３】
図６及び図７に示すのは、本考案の放熱器の第二実施例である。第一実施例とほぼ同じである。同じく該放熱器１０に筒状体１１及び複数の放熱シート２０を含み、該放熱シート２０をしっかり筒状体１１の外回りに結合する。該放熱シート２０は二枚の片体２１、２２を具有し、前実施例と異なるのは、二枚の片体２１、２２の外側端に一つの接続面２３ａを設け、該接続面２３ａと該片体２１、２２の外側端に一つの開放エリア２３ｂを設置することである。それにより、放熱シート２０と筒状体１１はしっかりと結合し、且つ該二枚の片体２１、２２と接続面２３ａの間にある空気の通り道がスムーズに外の空気と対流が起こり、該放熱効果を向上する。
【産業上の利用可能性】
【００１４】
該図８に示すのは、本考案の放熱器の第三実施例である。前第一実施例とほぼ同じであり、同じく該放熱器１０に含まれるのは、一つの筒状体１１及び複数の放熱シート２０である。前実施例と異なるのは放熱シート２０の枚数である。図示の放熱シート２０は４枚であるが、これに限定されず、該放熱シート２０はしっかりと筒状体１１の外回りに結合する。該放熱シート２０は二枚の片体２１、２２を具有し、該片体２１、２２と溝１２を対応して挿入することで、放熱シート２０が筒状体１１の外回りに設置することができる。及び当該導引溝１３を絞り加工することで、放熱シート２０と筒状体１１がしっかり結合する。また、二枚の片体２１、２２の外側端に一つの接続面２３を設置する。これにより、該放熱シート２０は筒状体１１としっかり結合し、且つ該接続面２３、穴２５及び空気の通り道２６により、該放熱器１０の筒状体１１内部の収納スペース１４にある熱１５(図４及び図５を参照)を有効的に放熱することができ、同時に当該コンポーネントをシンプル化して、組立の手間とコストを減少することができる。
【符号の説明】
【００１５】
１、  発光ダイオード照明
１０  放熱器
１１  筒状体
１２  溝
１３  導引溝
１４  収納スペース
１５  熱源
２０  放熱シート
２１、２２  片体
２１１、２２１  嵌合部
２１２、２２２  スロット
２３、２３ａ  接続面
２３ｂ  開放エリア
２４  穴
２５  穴
２６  空気の通り道
３０  ヘッドライト部
４０  カバー
５０  防塵シート
【図１】
0003172192.tif 000003
【図２】
0003172192.tif 000004
【図３】
0003172192.tif 000005
【図４】
0003172192.tif 000006
【図５】
0003172192.tif 000007
【図６】
0003172192.tif 000008
【図７】
0003172192.tif 000009
【図８】
0003172192.tif 000010